(57)【要約】      （修正有）【課題】ゆっくりと回転しているチェーンに手指を巻き込まれる事故を体感させる巻き込まれ事故体感装置を提供する。【解決手段】チェーン駆動機構１０を収納するケース体２０に体感用手指挿入窓２４を備える。駆動側スプロケット１１には透明板を貫通させて外側に取り付けられた手回しハンドル１４が備えられ、従動側スプロケット１２の回転軸１２ａを支持する従動軸支持ボックス４０をゼンマイバネ５１で離間方向に引き戻した状態とする。従動軸支持ボックス４０は、リニアガイド４４で左右方向移動可能に支持され、ストッパボルト５２のねじ込み量によって右方向への移動限界を調整される。体感用手指挿入窓２４から軍手を嵌めた指Ｆを挿入し、手回しハンドル１４を時計周りに回転させると、指Ｆがチェーン１３と従動側スプロケット１２との間に巻き込まれる。このとき、従動軸支持ボックス４０は、ゼンマイバネ５１を引き出す様にして右方向へ移動する。【選択図】図４
0003200191.tif 000002
【実用新案登録請求の範囲】
【請求項１】
回転駆動機構を収納したケース体と、該ケース体の外側から前記回転駆動機構の近傍へと手指を挿入可能な体感用手指挿入窓とを備えると共に、さらに、以下の構成を備えていることを特徴とする巻き込まれ事故体感装置。
（１Ａ）前記回転駆動機構は、駆動側回転体と、従動側回転体と、前記駆動側回転体と前記従動側回転体とに掛け渡される駆動力伝達部材とを備え、前記駆動側回転体には、前記ケース体の外側から操作可能な手回しハンドルが備えられ、前記体感用手指挿入窓が、前記従動側回転体と前記駆動力伝達部材との間に手指を挿入可能な位置に設けられていること。
（１Ｂ）前記従動側回転体は、前記駆動側回転体に対して接近・離間可能となる様に支持されると共に、初期状態において付勢部材により離間方向へと付勢されていること。
【請求項２】
さらに、以下の構成をも備えていることを特徴とする請求項１に記載の巻き込まれ事故体感装置。
（２）前記従動側回転体の離間方向への移動量を規制するストッパ部材と、該ストッパ部材による規制位置を調整する移動量調整部材とを備えていること。
【請求項３】
駆動側スプロケットと従動側スプロケットとの間にチェーンを掛け渡したチェーン駆動機構と、前記チェーン駆動機構を収納するケース体と、該ケース体に設けられ外側から手指を挿入可能な体感用手指挿入窓とを備え、さらに、以下の構成を備えていることを特徴とする巻き込まれ事故体感装置。
（３Ａ）前記ケース体は、前面に開口部を備えるケース本体と、前記開口部を塞ぐ様に取り付けられる透明板とを備えていること。
（３Ｂ）前記体感用手指挿入窓は、前記従動側スプロケットの下部から上部にかけて前記駆動側スプロケットの反対側に位置する様に前記透明板に形成された円弧状の開口によって構成されていること。
（３Ｃ）前記駆動側スプロケットには、前記透明板を貫通させて外側に取り付けられた手回しハンドルが備えられていること。
（３Ｄ）前記従動側スプロケットの回転軸が支持する従動軸支持部材が、前記駆動側スプロケットの回転軸に対して接近・離間方向に移動可能となる様にガイド部材に支持された状態で前記ケース本体の背面側に設置されていること。
（３Ｅ）前記従動軸支持部材を前記ガイド部材に沿って前記駆動側スプロケットの回転軸から離間する方向へと引っ張る様に接続されたゼンマイバネを備えていること。
（３Ｆ）前記従動軸支持部材が、前記ガイド部材に沿って前記駆動側スプロケットの回転軸に接近する方向への移動量を規制するストッパ部材と、
（３Ｇ）前記従動側回転体の離間方向への移動量を規制するストッパ部材と、該ストッパ部材による規制位置を調整する移動量調整部材とを備えていること。
【考案の詳細な説明】
【技術分野】
【０００１】
本考案は、チェーンやベルトなどに手指を巻き込まれる事故を体感させるための装置に関する。
【背景技術】
【０００２】
従来、モータ駆動される一対のローラの間へ模擬手を進入させることにより、被験者に対して駆動中のローラへの挟まりや巻き込まれを擬似的に体験させて安全意識を高める装置が提案されている（特許文献１）。
【先行技術文献】
【特許文献】
【０００３】
【特許文献１】特開２０１１−２０３４０７（００１０、図１）
【考案の概要】
【考案が解決しようとする課題】
【０００４】
しかし、実際の作業現場においては、駆動停止ボタンを押して停止しようとしてゆっくりと回転しているチェーンやベルトなどに手指を巻き込まれる事故が問題となっている。特許文献１の装置では、停止しそうにゆっくりと回転するチェーンなどに巻き込まれる事故の危険を体感させることは困難である。
【０００５】
そこで、本考案は、ゆっくりと回転しているチェーンやベルトなどに手指を巻き込まれる事故の危険性を体感させることのできる装置の提供を目的としてなされた。
【課題を解決するための手段】
【０００６】
上記目的を達成するためになされた本考案の巻き込まれ事故体感装置は、回転駆動機構を収納したケース体と、該ケース体の外側から前記回転駆動機構の近傍へと手指を挿入可能な体感用手指挿入窓とを備えると共に、さらに、以下の構成を備えていることを特徴とする。
（１Ａ）前記回転駆動機構は、駆動側回転体（駆動側プーリ、駆動側スプロケット）と、従動側回転体（従動側プーリや従動側スプロケット）と、前記駆動側回転体と前記従動側回転体とに掛け渡される駆動力伝達部材（ベルトやチェーン）とを備え、前記駆動側回転体には、前記ケース体の外側から操作可能な手回しハンドルが備えられ、前記体感用手指挿入窓が、前記従動側回転体と前記駆動力伝達部材との間に手指を挿入可能な位置に設けられていること。
（１Ｂ）前記従動側回転体は、前記駆動側回転体に対して接近・離間可能となる様に支持されると共に、初期状態において付勢部材（バネ、ゴムなど）により離間方向へと付勢されていること。
【０００７】
本考案の事故体感装置によれば、体感用手指挿入窓から軍手を嵌めた手指を挿入し、手回しハンドルを操作して駆動側回転体を回転させる。初期状態においては従動側回転体が駆動側回転体から離間する方向へと付勢されているが、従動側回転体と駆動力伝達部材との間に手指が入り込もうとすると、従動側回転体は、付勢部材の付勢力に抗して駆動側回転体へと接近する方向へと移動し、手指は従動側回転体と駆動力伝達部材との間にゆっくりと巻き込まれる。この結果、ゆっくりと回転しているチェーンやベルトなどに巻き込まれる事故を体感させると共に、実際に手指が挟まれることによる痛みも体感させ、安全意識を高めることができる。
【０００８】
ここで、本考案の事故体感装置は、さらに、以下の構成をも備えるとよい。
（２）前記従動側回転体の離間方向への移動量を規制するストッパ部材と、該ストッパ部材による規制位置を調整する移動量調整部材とを備えていること。
【０００９】
従動側回転体の移動量をまったく規制しない場合には、手指を巻き込まれた場合にもそれ程痛みを感じさせない。そこで、移動量調整部材を操作してストッパ部材による規制位置を調整することにより、ゆっくりと回転するチェーン等への巻き込まれ事故が発生し得ることの体感だけでなく、その際の痛みをも体感させることで、一層の安全意識向上を図ることができる。
【００１０】
上記目的を達成するためになされた本考案の巻き込まれ事故体感装置は、駆動側スプロケットと従動側スプロケットとの間にチェーンを掛け渡したチェーン駆動機構と、前記チェーン駆動機構を収納するケース体と、該ケース体に設けられ外側から手指を挿入可能な体感用手指挿入窓とを備え、さらに、以下の構成を備えていることを特徴とする。
（３Ａ）前記ケース体は、前面に開口部を備えるケース本体と、前記開口部を塞ぐ様に取り付けられる透明板とを備えていること。
（３Ｂ）前記体感用手指挿入窓は、前記従動側スプロケットの下部から上部にかけて前記駆動側スプロケットの反対側に位置する様に前記透明板に形成された円弧状の開口によって構成されていること。
（３Ｃ）前記駆動側スプロケットには、前記透明板を貫通させて外側に取り付けられた手回しハンドルが備えられていること。
（３Ｄ）前記従動側スプロケットの回転軸が支持する従動軸支持部材が、前記駆動側スプロケットの回転軸に対して接近・離間方向に移動可能となる様にガイド部材に支持された状態で前記ケース本体の背面側に設置されていること。
（３Ｅ）前記従動軸支持部材を前記ガイド部材に沿って前記駆動側スプロケットの回転軸から離間する方向へと引っ張る様に接続されたゼンマイバネを備えていること。
（３Ｆ）前記従動軸支持部材が、前記ガイド部材に沿って前記駆動側スプロケットの回転軸に接近する方向への移動量を規制するストッパ部材と、
（３Ｇ）前記従動側回転体の離間方向への移動量を規制するストッパ部材と、該ストッパ部材による規制位置を調整する移動量調整部材とを備えていること。
【００１１】
停止しそうなチェーンに手指を巻き込まれる事故を体感させることができる。この際、スプロケットの歯によって手指を損傷させることを防止しつつ、それなりの痛みを体感させることができる。
【考案の効果】
【００１２】
本考案によれば、ゆっくりと回転しているチェーンやベルトなどに手指を巻き込まれる事故の危険性を体感させることのできる装置の提供を目的としてなされた。
【図面の簡単な説明】
【００１３】
【図１】実施例１の手動式チェーン巻き込まれ事故体感装置を示し、（Ａ）は正面側から見た斜視図、（Ｂ）は背面側から見た斜視図である。
【図２】実施例１の手動式チェーン巻き込まれ事故体感装置を示し、（Ａ）は正面図、（Ｂ）は背面図である。
【図３】実施例１の手動式チェーン巻き込まれ事故体感装置を示し、（Ａ）は平面図、（Ｂ）は左側面図、（Ｃ）は右側面図である。
【図４】実施例１の手動式チェーン巻き込まれ事故体感装置の使用方法を示し、（Ａ）は平面図、（Ｂ）は体感開始時の正面図、（Ｃ）は体感時の正面図である。
【考案を実施するための形態】
【００１４】
以下、本考案を実施するための形態を実施例で説明する。
【実施例１】
【００１５】
実施例１の手動式チェーン巻き込まれ事故体感装置１は、図１〜図３に示す様に、チェーン駆動機構１０を収納し、ベース２の前面側に設置されたケース体２０と、ケース体２０の背面側に設置された駆動軸支持ボックス３０と、従動軸支持ボックス４０とを備えている。
【００１６】
チェーン駆動機構１０は、駆動側スプロケット１１と従動側スプロケット１２との間にチェーン１３を掛け渡したもので、駆動側スプロケット１１の前面に取り付けられた手回しハンドル１４を用いて手動で回転駆動させるものとなっている。
【００１７】
ケース体２０は、前面に開口部２１を備える金属製のケース本体２２と、開口部２１を塞ぐ様に取り付けられるアクリル樹脂製の透明板２３とを備えている。駆動側スプロケット１１、従動側スプロケット１２、及びチェーン１３は、透明板２３の背後に位置する様にケース体２０の内部に収納され、手回しハンドル１４が透明板２３を貫通させて外側に取り付けられている。透明板２３には、従動側スプロケット１２の下部から上部にかけて駆動側スプロケット１１の反対側に位置する様に円弧状の体感用手指挿入窓２４が開口されている。
【００１８】
駆動側スプロケット１１の回転軸１１ａは、ケース本体２２の背面を貫通して駆動軸支持ボックス３０内に挿入され、ボールベアリング３１、３２で水平に支持されている。駆動軸支持ボックス３０のベース部３３には左右方向に伸びる長孔３４が形成されると共に、左側面を当接させて位置決めを行うための位置決めボルト３５が設置されている。駆動軸支持ボックス３０は、位置決めボルト３５に対して左側面を当接させる様に位置決めし、長孔３４を介してベース２に対しボルト締めすることによって左右方向位置の調整を行うことができる様に構成されている。
【００１９】
従動側スプロケット１２の回転軸１２ａは、ケース本体２２の背面を貫通して従動軸支持ボックス４０内に挿入され、ボールベアリング４１，４２で水平に支持されている。従動軸支持ボックス４０は、底面にリニアベアリング４３を備え、ベース２の上面に設置されたリニアガイド４４によって左右方向移動可能に支持されている。また、従動軸支持ボックス４０の左側には、ゼンマイバネ収納ボックス５０が設置されている。このゼンマイバネ収納ボックス５０内には、ゼンマイバネ５１が収納され、このゼンマイバネ５１の先端が従動軸支持ボックス４０の左側面から突設された舌片４５に接続されている。また、従動軸支持ボックス４０の右側にはストッパボルト５２が設置されている。
【００２０】
従動軸支持ボックス４０は、図４（Ａ），（Ｂ）に示す様に、ゼンマイバネ５１の巻き戻し力により、初期状態においては左側に引き戻された状態となっている。一方、従動軸支持ボックス４０は、図４（Ｃ）に示す様に、チェーン１３と従動側スプロケット１２との間に指Ｆが巻き込まれた場合には、ゼンマイバネ５１を引き出す様にして右方向へ移動する。ストッパボルト５２は、ねじ込み量を調整することにより、この右方向への移動限界を調整する役割を担っている。
【００２１】
作業者は、図４（Ａ）に示す様に、ストッパボルト４６のねじ込み量を調整した後、図４（Ｂ）に示す様に、体感用手指挿入窓２４から軍手を嵌めた指Ｆを挿入し、手回しハンドル１４を時計周りに回転させる。すると、図４（Ｃ）に示す様に、指Ｆがチェーン１３と従動側スプロケット１２との間に巻き込まれる。このとき、従動軸支持ボックス４０は、ゼンマイバネ５１を引き出す様にして右方向へ移動する。この結果、指Ｆを損傷させることなく、ゆっくりと回転しているチェーン１３に指を巻き込まれる事故を安全に体感させることができる。
【００２２】
以上、本考案の一実施例について説明したが、本考案はこの実施例に限られるものではなく、その要旨を逸脱しない範囲内においてさらに種々の形態を採用することができることはもちろんである。
【産業上の利用可能性】
【００２３】
体験学習により安全教育を行う装置として利用することができる。
【符号の説明】
【００２４】
１・・・手動式チェーン巻き込まれ事故体感装置、２・・・ベース、１０・・・チェーン駆動機構、１１・・・駆動側スプロケット、１１ａ・・・回転軸、１２・・・従動側スプロケット、１２ａ・・・回転軸、１３・・・チェーン、１４・・・手回しハンドル、
２０・・・ケース体、２１・・・開口部、２２・・・ケース本体、２３・・・透明板、２４・・・体感用手指挿入窓、３０・・・駆動軸支持ボックス、３１，３２・・・ボールベアリング、３３・・・ベース部、３４・・・長孔、３５・・・位置決めボルト、４０・・・従動軸支持ボックス、４１，４２・・・ボールベアリング、４３・・・リニアベアリング、４４・・・リニアガイド、４５・・・舌片、５０・・・ゼンマイバネ収納ボックス、５１・・・ゼンマイバネ、５２・・・ストッパボルト、Ｆ・・・指。
【図１】
0003200191.tif 000003
【図２】
0003200191.tif 000004
【図３】
0003200191.tif 000005
【図４】
0003200191.tif 000006